(57)【要約】【解決課題】反転機構において記録用紙が反転されることによる画質劣化の発生を精度良く判定し、画質劣化を抑制する。【解決手段】両面印字であると判定されると（１００）、表面用の画像データに基づいて、単位領域毎の印字カバレッジを算出し（１０４）、裏面用の画像データに基づいて、単位領域毎の印字カバレッジを算出する（１０６）。そして、しきい値以上の印字カバレッジであって、接触領域の一部分を含む単位領域が、両面にはなく（１０８）、表面のみにあると判定された場合には（１１０）、表面裏面の印字処理の順序を変更して、両面印字処理を行う（１１４）。また、しきい値以上の印字カバレッジであって、接触領域の一部分を含む単位領域が、両面にある場合には（１１８）、インク滴や処理液の打ち込み量の制限（１２０、１２２）、待ち時間設定（１２６）、及び印字速度調整（１２８）の何れかを行い、両面印字処理を行う（１３０）。【選択図】図４
2008183719.tif 000002
【特許請求の範囲】
【請求項１】
記録媒体に液滴を吐出するための液滴吐出ヘッドと、
前記液滴吐出ヘッドによって前記記録媒体の両面に前記液滴を吐出するときに、前記記録媒体に接触しながら搬送することにより、前記記録媒体を反転させる反転手段と、
入力された画像データに基づいて、前記記録媒体上の前記反転手段との接触領域の少なくとも一部分又は該一部分を含む所定領域について、前記液滴吐出ヘッドによって液滴が吐出される液滴吐出領域の大きさ及び前記接触領域の少なくとも一部分又は前記所定領域に対する前記液滴吐出領域の大きさの割合の何れか一方を算出する吐出領域算出手段と、
前記液滴吐出ヘッドによって前記記録媒体の両面に前記液滴を吐出するときに、前記吐出領域算出手段によって算出された前記液滴吐出領域の大きさ及び前記割合の何れか一方が所定値以上である場合、前記記録媒体の前記接触領域に所定以上の画質劣化が生じないように制御する制御手段と、
を含む液滴吐出装置。
【請求項２】
前記吐出領域算出手段は、前記入力された画像データに基づいて、前記記録媒体上の領域を分割した複数の単位領域のうち前記接触領域の少なくとも一部分を含む単位領域について、前記液滴吐出領域の大きさ及び前記割合の何れか一方を算出する請求項１記載の液滴吐出装置。
【請求項３】
記録媒体に液滴を吐出するための液滴吐出ヘッドと、
前記液滴吐出ヘッドによって前記記録媒体の両面に前記液滴を吐出するときに、前記記録媒体に接触しながら搬送することにより、前記記録媒体を反転させる反転手段と、
入力された画像データに基づいて、前記記録媒体上の前記反転手段との接触領域の少なくとも一部分又は該一部分を含む所定領域について、前記液滴吐出ヘッドによって前記液滴が吐出されたときの光学濃度を算出する光学濃度算出手段と、
前記液滴吐出ヘッドによって前記記録媒体の両面に前記液滴を吐出するときに、前記光学濃度算出手段によって算出された前記光学濃度が所定値以上である場合、前記記録媒体の前記接触領域に所定以上の画質劣化が生じないように制御する制御手段と、
を含む液滴吐出装置。
【請求項４】
前記光学濃度算出手段は、前記入力された画像データに基づいて、前記記録媒体上の領域を分割した複数の単位領域のうち前記接触領域の少なくとも一部分を含む単位領域について、前記光学濃度を算出する請求項３記載の液滴吐出装置。
【請求項５】
前記液滴は、インク及び処理液からなり、
前記制御手段は、前記記録媒体の前記接触領域に所定以上の画質劣化が生じないように、前記液滴吐出ヘッドによって吐出される前記インク及び前記処理液の少なくとも一方の量を減少させる請求項１〜請求項４の何れか１項記載の液滴吐出装置。
【請求項６】
前記処理液は、前記液滴の成分を凝集させる作用及び不溶化させる作用の少なくとも一方を有する水溶液であることを特徴とする請求項５記載の液滴吐出装置。
【請求項７】
前記液滴吐出ヘッドによって前記記録媒体の両面に前記液滴を吐出するときに、前記両面の何れか一方に前記液滴が吐出された記録媒体を乾燥させる乾燥手段を更に含み、
前記制御手段は、前記記録媒体の前記接触領域に所定以上の画質劣化が生じないように、前記乾燥手段による所定の乾燥時間を設定する請求項１〜請求項４の何れか１項記載の液滴吐出装置。
【請求項８】
前記制御手段は、前記記録媒体の前記接触領域に所定以上の画質劣化が生じないように、前記液滴吐出ヘッドの液滴吐出による印字の速度を所定速度より遅く変更する請求項１〜請求項４の何れか１項記載の液滴吐出装置。
【請求項９】
前記記録媒体の両面の何れか一方の面のみについて、前記吐出領域算出手段によって算出された前記液滴吐出領域の大きさ及び前記割合の何れか一方が前記所定値以上であるか否かを判定する両面判定手段を更に含み、
前記制御手段は、前記両面判定手段によって前記両面の何れか一方の面のみについて前記所定値以上であると判定されると、前記両面の他方の面から先に前記液滴を吐出するように制御する請求項１又は２記載の液滴吐出装置。
【請求項１０】
前記記録媒体の両面の何れか一方の面のみについて、前記光学濃度算出手段によって算出された前記光学濃度が前記所定値以上であるか否かを判定する両面判定手段を更に含み、
前記制御手段は、前記両面判定手段によって前記両面の何れか一方の面のみについて前記所定値以上であると判定されると、前記両面の他方の面から先に前記液滴を吐出するように制御する請求項３又は４記載の液滴吐出装置。
【請求項１１】
前記液滴吐出ヘッドの吐出領域は、前記記録媒体幅とすることを特徴とする請求項１〜請求項１０の何れか１項記載の液滴吐出装置。
【請求項１２】
記録媒体に液滴を吐出するための液滴吐出ヘッドと、前記液滴吐出ヘッドによって前記記録媒体の両面に前記液滴を吐出するときに、前記記録媒体に接触しながら搬送することにより、前記記録媒体を反転させる反転手段とを含む液滴吐出装置を制御するコンピュータを、
入力された画像データに基づいて、前記記録媒体上の前記反転手段との接触領域の少なくとも一部分又は該一部分を含む所定領域について、前記液滴吐出ヘッドによって液滴が吐出される液滴吐出領域の大きさ及び前記接触領域の少なくとも一部分又は前記所定領域に対する前記液滴吐出領域の大きさの割合の何れか一方を算出する吐出領域算出手段、及び
前記液滴吐出ヘッドによって前記記録媒体の両面に前記液滴を吐出するときに、前記吐出領域算出手段によって算出された前記液滴吐出領域の大きさ及び前記割合の何れか一方が所定値以上である場合、前記記録媒体の前記接触領域に所定以上の画質劣化が生じないように制御する制御手段
として機能させるためのプログラム。
【請求項１３】
記録媒体に液滴を吐出するための液滴吐出ヘッドと、前記液滴吐出ヘッドによって前記記録媒体の両面に前記液滴を吐出するときに、前記記録媒体に接触しながら搬送することにより、前記記録媒体を反転させる反転手段とを含む液滴吐出装置を制御するコンピュータを、
入力された画像データに基づいて、前記記録媒体上の前記反転手段との接触領域の少なくとも一部分又は該一部分を含む所定領域について、前記液滴吐出ヘッドによって前記液滴が吐出されたときの光学濃度を算出する光学濃度算出手段、及び
前記液滴吐出ヘッドによって前記記録媒体の両面に前記液滴を吐出するときに、前記光学濃度算出手段によって算出された前記光学濃度が所定値以上である場合、前記記録媒体の前記接触領域に所定以上の画質劣化が生じないように制御する制御手段
として機能させるためのプログラム。
【発明の詳細な説明】
【技術分野】
【０００１】
この発明は、液滴吐出装置及びプログラムに係り、特に、画像データに基づいて記録媒体に液滴を吐出する液滴吐出装置及びプログラムに関する。
【背景技術】
【０００２】
従来、インクジェットプリンタなどの液滴吐出装置では、インク滴吐出ヘッドによって記録用紙にインク滴を吐出させて、画像を記録し、また、記録用紙を反転させることにより、両面印字を行っている。
【０００３】
両面印字を行う場合には、吐出されたインク滴の量によって、記録用紙に記録された画像の画質劣化が生じるため、画質劣化が生じないように工夫する必要がある。例えば、インクジェット吐出部およびプリント性向上液を吐出するプリント性向上液吐出部を用い、設定されたプリントモードによって、プリント性向上液の量を異ならしめるプリント装置が知られている（特許文献１）。このプリント装置では、プリントモードによって、同一プリント領域を走査する回数が多いほど被プリント材の単位面積当たりへのプリント性向上液の吐出量を少なくしている。さらに、複数のプリントモードを設定し、また特性の異なる複数種のプリント性向上液を有し、プリントモードによって、プリント性向上液の種類を異ならしめるようにしている。
【０００４】
また、両面プリントモードが選択された場合、プリント媒体に処理液を付与する処理液使用プリントモードおよびプリント媒体に対するインク吐出量を低減させる低濃度プリントモードの何れかを選択するインクジェットプリント装置が知られている（特許文献２）。
【０００５】
また、表裏のインク打ち込みＤｕｔｙが対象印刷媒体に対して過大であるか否かを判定し、過大である場合には、表裏のインクの混色を避けるために、状況に最も適した印刷モードを自動的に選択するインクジェット記録装置が知られている（特許文献３）。このインクジェット記録装置における判定では、公知技術である像域分離により、媒体上の各サンプリング座標に対してテキストであるかイメージであるかの識別情報を対応させ、表裏が共にイメージである場合にはＤｕｔｙが過大であると判定している。
【０００６】
また、第２面について、第１面と第２面の処理液を吐出するパターンがプリント媒体の表裏で重なる部分の処理液の吐出量を、重なっていない部分の吐出量よりも減らし、また、吐出するパターンが重なる部分の裏側の位置に相当する第１面の処理液の吐出量が、第２面の処理液の吐出量より多い場合には、第２面の処理液の吐出量を少なくするインクジェット記録装置が知られている（特許文献４）。
【特許文献１】特許公報２８９５４１０号
【特許文献２】特許公報３３９７６０５号
【特許文献３】特開２００３−３４１０３３号
【特許文献４】特開２００４−１８８６５６号
【発明の開示】
【発明が解決しようとする課題】
【０００７】
しかしながら、上記の特許文献１〜特許文献４に記載の技術では、記録用紙を反転させるための反転機構を考慮した印刷制御を行っていないため、反転機構によって記録用紙を反転した際の画質劣化の発生を判定することができない、という問題がある。
【０００８】
本発明は、上記の問題点を解決するためになされたもので、反転機構において記録用紙が反転されることによる画質劣化の発生を精度良く判定し、適切に画質劣化を抑制することができる液滴吐出装置及びプログラムを提供することを目的とする。
【課題を解決するための手段】
【０００９】
上記の目的を達成するために第１の発明に係る液滴吐出装置は、記録媒体に液滴を吐出するための液滴吐出ヘッドと、前記液滴吐出ヘッドによって前記記録媒体の両面に前記液滴を吐出するときに、前記記録媒体に接触しながら搬送することにより、前記記録媒体を反転させる反転手段と、入力された画像データに基づいて、前記記録媒体上の前記反転手段との接触領域の少なくとも一部分又は該一部分を含む所定領域について、前記液滴吐出ヘッドによって液滴が吐出される液滴吐出領域の大きさ及び前記接触領域の少なくとも一部分又は前記所定領域に対する前記液滴吐出領域の大きさの割合の何れか一方を算出する吐出領域算出手段と、前記液滴吐出ヘッドによって前記記録媒体の両面に前記液滴を吐出するときに、前記吐出領域算出手段によって算出された前記液滴吐出領域の大きさ及び前記割合の何れか一方が所定値以上である場合、前記記録媒体の前記接触領域に所定以上の画質劣化が生じないように制御する制御手段とを含んで構成されている。
【００１０】
また、第２の発明に係るプログラムは、記録媒体に液滴を吐出するための液滴吐出ヘッドと、前記液滴吐出ヘッドによって前記記録媒体の両面に前記液滴を吐出するときに、前記記録媒体に接触しながら搬送することにより、前記記録媒体を反転させる反転手段とを含む液滴吐出装置を制御するコンピュータを、入力された画像データに基づいて、前記記録媒体上の前記反転手段との接触領域の少なくとも一部分又は該一部分を含む所定領域について、前記液滴吐出ヘッドによって液滴が吐出される液滴吐出領域の大きさ及び前記接触領域の少なくとも一部分又は前記所定領域に対する前記液滴吐出領域の大きさの割合の何れか一方を算出する吐出領域算出手段、及び前記液滴吐出ヘッドによって前記記録媒体の両面に前記液滴を吐出するときに、前記吐出領域算出手段によって算出された前記液滴吐出領域の大きさ及び前記割合の何れか一方が所定値以上である場合、前記記録媒体の前記接触領域に所定以上の画質劣化が生じないように制御する制御手段として機能させるプログラムである。
【００１１】
第１の発明及び第２の発明によれば、吐出領域算出手段によって、入力された画像データに基づいて、記録媒体上の反転手段との接触領域の少なくとも一部分又は一部分を含む所定領域について、液滴吐出ヘッドによって液滴が吐出される液滴吐出領域の大きさ及び接触領域の少なくとも一部分又は所定領域に対する液滴吐出領域の大きさの割合の何れか一方を算出する。
【００１２】
また、制御手段によって、液滴吐出ヘッドによって記録媒体の両面に液滴を吐出するときに、吐出領域算出手段によって算出された液滴吐出領域の大きさ及び割合の何れか一方が所定値以上である場合、記録媒体の接触領域に所定以上の画質劣化が生じないように制御する。
【００１３】
そして、液滴吐出ヘッドによって記録媒体の両面に液滴を吐出するときに、反転手段によって、記録媒体に接触しながら搬送することにより、記録媒体を反転させ、また、液滴吐出ヘッドによって、記録媒体の両面に液滴を吐出する。
【００１４】
従って、記録媒体上の反転手段との接触領域の少なくとも一部分又は一部分を含む所定領域について、液滴吐出領域の大きさ又は液滴吐出領域の大きさの割合を算出して、画質劣化の有無を判定するため、反転手段によって記録用紙が反転される際に、記録媒体の接触領域に所定以上の画質劣化が生じるか否かを精度よく判定することができ、また、適切に画質劣化の発生を抑制することができる。
【００１５】
第１の発明に係る吐出領域算出手段は、入力された画像データに基づいて、記録媒体上の領域を分割した複数の単位領域のうち接触領域の少なくとも一部分を含む単位領域について、液滴吐出領域の大きさ及び割合の何れか一方を算出することができる。これにより、分割された単位領域について、液滴吐出領域の大きさ又は割合を算出すればよいため、液滴吐出領域の大きさ又は割合を容易に算出することができる。
【００１６】
第３の発明に係る液滴吐出装置は、記録媒体に液滴を吐出するための液滴吐出ヘッドと、前記液滴吐出ヘッドによって前記記録媒体の両面に前記液滴を吐出するときに、前記記録媒体に接触しながら搬送することにより、前記記録媒体を反転させる反転手段と、入力された画像データに基づいて、前記記録媒体上の前記反転手段との接触領域の少なくとも一部分又は該一部分を含む所定領域について、前記液滴吐出ヘッドによって前記液滴が吐出されたときの光学濃度を算出する光学濃度算出手段と、前記液滴吐出ヘッドによって前記記録媒体の両面に前記液滴を吐出するときに、前記光学濃度算出手段によって算出された前記光学濃度が所定値以上である場合、前記記録媒体の前記接触領域に所定以上の画質劣化が生じないように制御する制御手段とを含んで構成されている。
【００１７】
また、第４の発明に係るプログラムは、記録媒体に液滴を吐出するための液滴吐出ヘッドと、前記液滴吐出ヘッドによって前記記録媒体の両面に前記液滴を吐出するときに、前記記録媒体に接触しながら搬送することにより、前記記録媒体を反転させる反転手段とを含む液滴吐出装置を制御するコンピュータを、入力された画像データに基づいて、前記記録媒体上の前記反転手段との接触領域の少なくとも一部分又は該一部分を含む所定領域について、前記液滴吐出ヘッドによって前記液滴が吐出されたときの光学濃度を算出する光学濃度算出手段、及び前記液滴吐出ヘッドによって前記記録媒体の両面に前記液滴を吐出するときに、前記光学濃度算出手段によって算出された前記光学濃度が所定値以上である場合、前記記録媒体の前記接触領域に所定以上の画質劣化が生じないように制御する制御手段として機能させるためのプログラムである。
【００１８】
第３の発明及び第４の発明によれば、光学濃度算出手段によって、入力された画像データに基づいて、記録媒体上の反転手段との接触領域の少なくとも一部分又は一部分を含む所定領域について、液滴吐出ヘッドによって液滴が吐出されたときの光学濃度を算出する。
【００１９】
また、制御手段によって、液滴吐出ヘッドによって記録媒体の両面に液滴を吐出するときに、光学濃度算出手段によって算出された光学濃度が所定値以上である場合、記録媒体の接触領域に所定以上の画質劣化が生じないように制御する。
【００２０】
そして、液滴吐出ヘッドによって記録媒体の両面に液滴を吐出するときに、反転手段によって、記録媒体に接触しながら搬送することにより、記録媒体を反転させ、また、液滴吐出ヘッドによって、記録媒体の両面に液滴を吐出する。
【００２１】
従って、記録媒体上の反転手段との接触領域の少なくとも一部分又は一部分を含む所定領域について、光学濃度を算出して、画質劣化の有無を判定するため、反転手段によって記録用紙が反転される際に、記録媒体の接触領域に所定以上の画質劣化が生じるか否かを精度よく判定することができ、また、適切に画質劣化の発生を抑制することができる。
【００２２】
第３の発明に係る光学濃度算出手段は、入力された画像データに基づいて、記録媒体上の領域を分割した複数の単位領域のうち接触領域の少なくとも一部分を含む単位領域について、光学濃度を算出することができる。これにより、分割された単位領域について、光学濃度を算出すればよいため、光学濃度を容易に算出することができる。
【００２３】
上記の液滴は、インク及び処理液からなり、制御手段は、記録媒体の接触領域に所定以上の画質劣化が生じないように、液滴吐出ヘッドによって吐出されるインク及び処理液の少なくとも一方の量を減少させることができる。これにより、インク及び処理液の少なくとも一方の量を減少させて、画質劣化を抑制することができる。
【００２４】
また、上記の処理液を、液滴の成分を凝集させる作用及び不溶化させる作用の少なくとも一方を有する水溶液とすることができる。
【００２５】
上記の液滴吐出装置は、液滴吐出ヘッドによって記録媒体の両面に液滴を吐出するときに、両面の何れか一方に液滴が吐出された記録媒体を乾燥させる乾燥手段を更に含み、制御手段は、記録媒体の接触領域に所定以上の画質劣化が生じないように、乾燥手段による所定の乾燥時間を設定することができる。これにより、乾燥時間を設定して、画像劣化を抑制することができる。
【００２６】
上記の制御手段は、記録媒体の接触領域に所定以上の画質劣化が生じないように、液滴吐出ヘッドの液滴吐出による印字の速度を所定速度より遅く変更することができる。これにより、印字速度を遅くして、画像劣化を抑制することができる。
【００２７】
第１の発明に係る液滴吐出装置は、記録媒体の両面の何れか一方の面のみについて、吐出領域算出手段によって算出された液滴吐出領域の大きさ及び割合の何れか一方が所定値以上であるか否かを判定する両面判定手段を更に含み、制御手段は、両面判定手段によって両面の何れか一方の面のみについて所定値以上であると判定されると、両面の他方の面から先に液滴を吐出するように制御することができる。これにより、液滴吐出領域の大きさ又は割合が所定値未満となる面を先に印字して、画像劣化を防止することができる。
【００２８】
第３の発明に係る液滴吐出装置は、記録媒体の両面の何れか一方の面のみについて、光学濃度算出手段によって算出された光学濃度が所定値以上であるか否かを判定する両面判定手段を更に含み、制御手段は、両面判定手段によって両面の何れか一方の面のみについて所定値以上であると判定されると、両面の他方の面から先に液滴を吐出するように制御することができる。これにより、光学濃度が所定値未満となる面を先に印字して、画像劣化を防止することができる。
【００２９】
また、上記の液滴吐出ヘッドの吐出領域を、記録媒体幅とすることができる。
【発明の効果】
【００３０】
以上説明したように、本発明の液滴吐出装置及びプログラムによれば、記録媒体上の反転手段との接触領域の少なくとも一部分又は一部分を含む所定領域について、液滴吐出領域の大きさ、液滴吐出領域の大きさの割合、又は光学濃度を算出して、画質劣化の有無を判定するため、反転手段によって記録用紙が反転される際に、記録媒体の接触領域に所定以上の画質劣化が生じるか否かを精度よく判定することができ、また、適切に画質劣化の発生を抑制することができる、という効果が得られる。
【発明を実施するための最良の形態】
【００３１】
以下、本発明の実施の形態について図面を参照して詳細に説明する。本実施の形態では、インクジェット記録装置に本発明を適用した場合を例に説明する
図１に示すように、第１の実施の形態に係るインクジェット記録装置１０は、記録用紙Ｐにインク滴を吐出するインクジェットヘッドユニット１２を備えており、インクジェットヘッドユニット１２は、シアン（Ｃ）、マゼンタ（Ｍ）、イエロー（Ｙ）、黒（Ｋ）の４色の水性の染料または顔料インク各々及び処理液をノズルから吐出するインクジェットヘッド（図示省略）を備えている。
【００３２】
黒インクは、例えば、Ｃａｂｏｊｅｔ−３００（キャボット社製）、スチレン−アクリル酸共重合体（酸価１００／中和度９５％）、ジエチレングリコール、アセチレングリコールエチレンオキサイド付加物、及びイオン交換水で形成されている。
【００３３】
また、シアンインクは、例えば、Ｃ．Ｉ．Ｐｉｇｍｅｎｔ  Ｂｌｕｅ  １５：３（スルホン酸基）、スチレン−アクリル酸共重合体（酸価１００／中和度９５％）、ジエチレングリコール、プロピレングリコール、アセチレングリコールエチレンオキサイド付加物、及びイオン交換水で形成されている。
【００３４】
マゼンタインクは、例えば、Ｃ．Ｉ．Ｐｉｇｍｅｎｔ  Ｒｅｄ  １２２（スルホン酸基）、スチレン−アクリル酸共重合体（酸価１００／中和度９５％）、ジエチレングリコール、トリエチレングリコール、アセチレングリコールエチレンオキサイド付加物、及びイオン交換水で形成されている。
【００３５】
また、イエローインクは、例えば、Ｃ．Ｉ．Ｐｉｇｍｅｎｔ  Ｙｅｌｌｏｗ  １２８（スルホン酸基）、スチレン−アクリル酸共重合体（酸価１００／中和度９５％）、ジエチレングリコール、２−ピロリドン、アセチレングリコールエチレンオキサイド付加物、及びイオン交換水で形成されている。
【００３６】
また、処理液としては、インク内の染料または顔料を不溶化させ、増粘させ、又は凝集させる２価以上の金属イオンを１種以上含み、且つ、透明又は淡色のものや、増粘させ、又は凝集させる有機酸化化合物を１種以上含み、且つ、透明又は淡色のものを用いればよい。例えば、処理液として第１の処理液と第２の処理液とを用い、第１の処理液は、ジエチレングリコール、硝酸マグネシウム、６水和物、アセチレングリコールエチレンオキサイド付加物、及びイオン交換水で形成され、第２の処理液は、ジエチレングリコール、２−ピロリドン−５−カルボン酸、水酸化ナトリウム、アセチレングリコールエチレンオキサイド付加物、及びイオン交換水で形成されている。
【００３７】
インクジェットヘッドは記録用紙Ｐの幅に相当する有効印字領域を有する長尺のヘッドで、記録用紙Ｐの幅方向に複数のノズルが配列されており、記録用紙Ｐの幅方向の印字領域に一斉にインク滴及び処理液の滴を吐出するようになっている。また、インクジェットヘッドのノズルからインク滴を吐出させる方式は、圧電素子でインク室を加圧する方式やサーマル方式等の公知の方式を適用可能である。
【００３８】
なお、インクジェットヘッドユニット１２にインクジェットヘッドを主走査方向へ移動させる主走査機構を設け、有効印字領域が記録用紙Ｐの幅より小さいインクジェットヘッドを適用してもよい。
【００３９】
インクジェット記録装置１０の最下部には、給紙トレイ１６が挿抜可能に設けられており、給紙トレイ１６には、記録用紙Ｐが積載されており、最上位の記録用紙Ｐにはピックアップロール１８が当接している。記録用紙Ｐは、ピックアップロール１８によって１枚ずつ給紙トレイ１６から搬送方向下流側へ給紙され、搬送経路に沿って順に配設された搬送ロール２０、２２によってインクジェットヘッドユニット１２の下方へ給紙される。
【００４０】
また、インクジェットヘッドユニット１２の下方には、無端状の搬送ベルト２４が配設されており、搬送ベルト２４は、駆動ロール２６及び従動ロール３０に張架されている。また、従動ロール３０は接地されている。
【００４１】
また、記録用紙Ｐが搬送ベルト２４に接触する位置の上流側に、直流電源を供給する直流電源装置３４が接続された帯電ロール３２が配置されている。帯電ロール３２は、従動ロール３０との間で搬送ベルト２４を挟みつつ従動し、搬送ベルト２４に接触する接触位置と、搬送ベルト２４から離間した離間位置との間を移動可能とされている。接触位置では、接地された従動ロール３０との間に所定の電位差が生じるため、搬送ベルト２４に対して放電し、電荷を与えるようになっている。これにより、搬送ベルト２４は記録用紙Ｐを静電吸着することができる。
【００４２】
また、帯電ロール３２より上流側には、搬送ベルト２４に帯電された電荷を除電するための除電ロール３６が設けられている。
【００４３】
また、インクジェットヘッドユニット１２の下流側には、記録用紙Ｐの排出経路を構成する複数の排出ロール３８、４０が設けられ、排出ロール３８、４０で構成された排出経路の先には、排紙トレイ４２が設けられている。
【００４４】
また、排出ロール３８の下流側には、排出経路とは異なる経路に記録用紙Ｐを搬送して記録用紙Ｐを反転させるための反転手段としての反転機構４８を備えており、反転機構４８は、排出ロール３８から排出経路とは異なる搬送経路を構成し、反転機構４８内に記録用紙Ｐを搬送するための両面搬送用ロール４２、４４と、反転経路を構成する両面搬送用ロール４６とを備えている。
【００４５】
両面印字を行う場合、片面のみが印字された記録用紙Ｐは、排出経路とは異なる搬送経路で反転機構４８内に搬送された後、両面搬送用ロール４４が逆回転することにより、反転経路に搬送されるようになっている。そして、両面搬送用ロール４６によって反転経路を搬送された記録用紙Ｐは、搬送ロール２２によって、再びインクジェットヘッドユニット１２の下方へ給紙されるようになっている。なお、本実施の形態では、両面印字において、記録用紙Ｐの表面が先に印字された後、記録用紙Ｐの裏面が印字される場合を例に説明する。
【００４６】
また、図２に示すように、両面搬送用ロール４２、４４、４６は、記録用紙Ｐの搬送方向に直交する方向の両端部の各々に設けられ、記録用紙Ｐ上の両端部の領域に接触しながら、記録用紙Ｐを搬送する。なお、記録用紙Ｐと両面搬送用ロール４２、４４、４６とが接触する領域を接触領域とする。
【００４７】
また、インクジェット記録装置１０には、ＣＰＵ、ＲＯＭ、及びＲＡＭから構成されるコントローラ６２が設けられており、コントローラ６２によって、インクジェットヘッドユニット１２、各種ロールを駆動する複数のモータ（図示省略）を含むインクジェット記録装置１０の全体を制御している。また、コントローラ６２には、後述する印字処理ルーチンを実行するためのプログラムが記憶されている。
【００４８】
次に、片面が印字された記録用紙Ｐを反転機構４８によって反転する場合に、両面搬送用ロール４２、４４、４６によって画像劣化が発生する様子について図３を用いて説明する。
【００４９】
まず、図３（Ａ）に示すように、記録用紙Ｐにおける両面搬送用ロール４２、４４、４６の接触領域上に、印字カバレッジが高いエリアを有する場合には、図３（Ｂ）に示すように、両面搬送用ロール４２、４４、４６が、印字バレッジが高いエリアに接触すると、印字カバレッジが高いエリアのインクが乾燥していないため、図３（Ｃ）に示すように、両面搬送用ロール４２、４４、４６にインクが付着すると共に、両面搬送用ロール４２、４４、４６に付着したインクが、記録用紙Ｐに再転写されて、画像劣化が生じてしまう。
【００５０】
次に、第１の実施の形態に係るインクジェット記録装置１０の作用について説明する。まず、クライアントＰＣ（図示省略）において、ユーザによって画像データが生成、編集され、印字指示と共に、画像データがインクジェット記録装置１０に入力されると、コントローラ６２において、図４に示す印字処理ルーチンが実行される。
【００５１】
ステップ１００において、入力された印字指示に基づいて、両面印字であるか否かを判定し、片面印字であると、ステップ１０２において、入力された画像データに基づいて、通常通り、記録用紙Ｐの片面を印字して、印字処理ルーチンを終了するが、一方、両面印字であると、ステップ１０４において、入力された表面用の画像データに基づいて、印字カバレッジの分布を算出する。ここで、印字カバレッジは、記録用紙Ｐ上の所定の面積におけるインクで覆われる面積の割合を示している。また、上記のステップ１０４では、図５に示すように、記録用紙Ｐの印字領域を、縦横の各々を所定の長さとした単位領域（例えば、縦４ｍｍ×横５ｍｍのエリア）で分割し、その単位領域毎の印字カバレッジを算出して、各単位領域の印字カバレッジを印字カバレッジの分布として算出する。
【００５２】
そして、ステップ１０６では、ステップ１０４と同様に、入力された裏面用の画像データに基づいて、印字カバレッジの分布を算出し、ステップ１０８で、表面裏面の両面に、予め定められたしきい値以上の印字カバレッジとなる単位領域であって、かつ、両面搬送用ロール４２、４４、４６の接触領域の一部分を含む単位領域があるか否かを判定する。
【００５３】
なお、上記のしきい値は、実験的又は統計的に、両面搬送用ロール４２、４４、４６による再転写の結果、目立つような画質劣化が発生する状況における印字カバレッジを求めておき、求められた印字カバレッジをしきい値として設定しておけばよい。ここで、目立つような画質劣化が発生する場合の印字カバレッジは以下のように求められる。
【００５４】
記録用紙Ｐ上の両面搬送用ロール４２、４４、４６による再転写部分の光学濃度（ＯＤ：Ｏｐｔｉｃａｌ  Ｄｅｎｓｉｔｙ）を用いて、画質劣化の状態を分類すると、ＯＤ＞０．０１０の場合には、画質劣化が目立ち、目視によりはっきり認識することができ、０．００５＜ＯＤ＜０．０１０の場合には、目視により認識できるが、画質劣化が目立たない。また、ＯＤ＜０．００５の場合には、目視により画質劣化が認識できない。また、例えば、インク滴サイズを１０ｐｌ、解像度を６００×６００ｄｐｉ、印字速度を６０ｐｐｍ、搬送ロール加圧を１ＭＰａとした場合、記録用紙Ｐ上の両面搬送用ロール４２、４４、４６による再転写部分の光学濃度と、印字カバレッジとの関係は、図６に示す関係となるため、ＯＤ＝０．０１０となる印字カバレッジ７５％がしきい値として求められる。
【００５５】
上記ステップ１０８で、しきい値以上の印字カバレッジとなる単位領域であって、かつ、両面搬送用ロール４２、４４、４６の接触領域の一部分を含む単位領域が、両面にはない場合には、ステップ１１０で、しきい値以上の印字カバレッジとなる単位領域であって、かつ、両面搬送用ロール４２、４４、４６の接触領域の一部分を含む単位領域が、表面にあるか否かを判定し、しきい値以上の印字カバレッジとなる単位領域であって、かつ、両面搬送用ロール４２、４４、４６の接触領域の一部分を含む単位領域が表面にはなかった場合には、ステップ１１２において、通常の両面印字処理を行い、記録用紙Ｐの表面について印字処理を行った後、記録用紙Ｐを反転させて、記録用紙Ｐの裏面について印字処理を行って、印字処理ルーチンを終了する。一方、上記ステップ１１０で、しきい値以上の印字カバレッジとなる単位領域であって、かつ、両面搬送用ロール４２、４４、４６の接触領域の一部分を含む単位領域が、表面にあると判定された場合には、表面に所定以上の画質劣化としての目立つような画質劣化が発生すると判断し、ステップ１１４において、表面裏面の印字処理の順序を変更して両面印字処理を行い、しきい値以上の印字カバレッジとなる単位領域がない記録用紙Ｐの裏面について印字処理を行った後、記録用紙Ｐを反転させて、記録用紙Ｐの表面について印字処理を行って、印字処理ルーチンを終了する。
【００５６】
また、上記ステップ１０８で、しきい値以上の印字カバレッジとなる単位領域であって、かつ、両面搬送用ロール４２、４４、４６の接触領域の一部分を含む単位領域が、両面にあると判定された場合には、両面において所定以上の画質劣化としての目立つような画質劣化が発生すると判断し、ステップ１１６において、印字モードとして、高速印字モード及び高画質モードの何れが設定されているかを判定する。
【００５７】
ユーザ入力によって高速印字モードが予め設定されていた場合には、ステップ１１８で、入力された画像データがイメージデータ及びテキストデータの何れであるかを判定し、入力された画像データがイメージデータであると判定されると、ステップ１２０において、イメージデータ領域全体のインク滴及び処理液の打ち込み量を制限するように（例えば、インク滴の打ち込み量を８割に減少させ、処理液の打ち込み量を１／４に減少させる。）、入力された画像データを補正する。例えば、インク滴及び処理液の滴を吐出するドットの数が減少するように、画像データを間引いて補正して、ステップ１３０へ移行する。なお、画像データの補正では、例えば、インク滴及び処理液の滴を吐出するドットの数を画像全体から一律に減らして、両面搬送用ロール４２、４４、４６の接触領域の一部分を含む単位領域に関する印字カバレッジが、上記のしきい値未満になるように間引けばよい。
【００５８】
また、上記ステップ１１８で、入力された画像データがテキストデータであると判定されると、ステップ１２２において、入力された画像データを補正することにより、文字輪郭外周のみに処理液を打ち込むようにして処理液の打ち込み量を減らし、ステップ１３０へ移行する。
【００５９】
また、上記ステップ１１６において、ユーザ入力により高画質モードが設定されていると判定された場合には、ステップ１２４において、高画質モードにおける画質劣化抑制処理として、待ち時間設定処理及び印字速度調整処理の何れが設定されているかを判定する。ここで、高画質モードでは画像データを補正することによる画質の低下を避けるために、高画質モードにおける画質劣化抑制処理が設けられており、ユーザは、クライアントＰＣのドライバにおいて、高画質モードにおける画質劣化抑制処理として、インク滴乾燥のための待ち時間設定処理及び印字速度調整処理の何れかを設定することができるようになっている。
【００６０】
上記ステップ１２４で、待ち時間設定処理が設定されていると判定されると、ステップ１２６において、印字カバレッジに応じて、記録用紙Ｐが印字されてから両面搬送用ロール４２、４４、４６に接触するまでの間に記録用紙Ｐの搬送を停止する待ち時間を算出し、インク乾燥のために必要な待ち時間を、算出された待ち時間に設定し、ステップ１３０へ移行するが、一方、上記ステップ１２４で、印字速度調整処理が設定されていると判定されると、ステップ１２８において、印字カバレッジに応じて、記録用紙Ｐが印字されてから両面搬送用ロール４２、４４、４６に接触するまでの待ち時間を算出し、記録用紙Ｐが印字されてから両面搬送用ロール４２、４４、４６に接触するまでの間の時間が算出された待ち時間より短くならないように、ロール搬送速度及び駆動周波数を調整して、算出された待ち時間に応じた印字速度より遅くなるように印字速度を調整し、ステップ１３０へ移行する。
【００６１】
そして、ステップ１３０において、入力された画像データ又はステップ１２０、１２２で補正された画像データに基づいて、両面印字処理を行い、記録用紙Ｐの表面を印字した後に、記録用紙Ｐを反転させ、記録用紙Ｐの裏面を印字して、印字処理ルーチンを終了する。
【００６２】
ここで、上記ステップ１２６で記録用紙Ｐの待ち時間が設定されていた場合には、インクジェットヘッドユニット１２のインクジェットヘッドによって、記録用紙Ｐの表面が印字された後、乾燥手段として、搬送ベルト２４による搬送を設定された待ち時間分だけ停止させて、停止時間が設定された待ち時間経過すると、搬送ベルト２４を再び回動し、両面搬送用ロール４２、４４、４６へ記録用紙Ｐを搬送する。また、上記ステップ１２８で、印字速度が調整されていた場合には、インクジェットヘッドユニット１２のインクジェットヘッドによって、記録用紙Ｐの表面を印字する際に、調整されたロール搬送速度で記録用紙Ｐを搬送すると共に、調整された駆動周波数でインクジェットヘッドからインク滴を吐出させて印字する。
【００６３】
上記のように印字処理ルーチンを実行することにより、上述した図５に示すような印字パターン及び印字カバレッジ（全エリア平均５０％）を印字した場合には、両面印字処理における反転機構４８による画質劣化が発生しないと判定するため、印字画質及び印字速度を低下させずに、印字することができる。
【００６４】
一方、図７に示すように、両面搬送用ロールとの接触領域を考慮せずに、全エリアの印字カバレッジの平均に基づいて、画質劣化の発生を判定し、画質劣化が発生すると判定した場合に、インク打ち込み量を削減する方法（比較例１）では、画質劣化が発生すると判定されてしまうため、印字速度が低下しないが、印字画質が低下してしまい、過剰に印字制御が行われてしまう。また、全エリアの印字カバレッジの平均に基づいて、画質劣化の発生を判定し、画質劣化が発生すると判定した場合に、乾燥待ち時間を設定する方法（比較例２）では、画質劣化が発生すると判定されてしまうため、印字画質が低下しないが、印字速度が低下してしまい、過剰に印字制御が行われてしまう。
【００６５】
また、印字カバレッジの全エリア平均が低く、かつ、両面搬送用ロールとの接触領域に印字カバレッジが高い領域がある画像データに基づいて両面印字を行う場合には、上記のように、印字処理ルーチンを実行することにより、両面印字処理における反転機構４８による画質劣化が発生すると判定するため、適切に目立つような画質劣化を防止することができる。
【００６６】
一方、全エリアの印字カバレッジの平均に基づいて、画質劣化の発生を判定する方法（比較例１、２）では、両面印字処理における反転機構４８による画質劣化が発生しないと判定してしまうため、両面印字により目立つような画質劣化が発生してしまう。
【００６７】
以上説明したように、第１の実施の形態に係るインクジェット記録装置によれば、記録用紙上の反転機構の両面搬送用ロールとの接触領域の少なくとも一部分を含む単位領域について、印字カバレッジを算出して、この印字カバレッジに基づいて、目立つような画質劣化の発生の有無を判定するため、反転機構によって記録用紙が反転される際に、記録用紙の接触領域に目立つような画質劣化が生じるか否かを精度よく判定することができ、また、この判定結果に基づいて、適切に画質劣化の発生を抑制することができる。
【００６８】
また、精度良く目立つような画質劣化発生の有無を判定することができるため、印字速度の著しい低下を防止すると共に、目立つような画質劣化が生じないようにすることができる。
【００６９】
また、分割された単位領域の各々について、印字カバレッジを算出すればよいため、印字カバレッジの分布を容易に算出することができる。
【００７０】
また、設定された印字モードに応じて、画質劣化抑制処理を行うことにより、適した画質劣化抑制処理を行うことができる。特に、高画質モードの場合には、画像データを補正しない画質劣化抑制処理を行うため、画質を低下させずに印字することができる。
【００７１】
また、目立つような画質劣化が発生すると判定された場合には、インク滴や処理液の打ち込み量を減少させて、画質劣化を抑制することができる。
【００７２】
また、目立つような画質劣化が発生すると判定された場合には、乾燥時間を設定して、又は、印字速度を遅く調整することにより、反転機構に搬送されるまでに記録用紙上のインク滴を乾燥させて、画像劣化を抑制することができる。
【００７３】
また、記録用紙の片面のみに、目立つような画質劣化が発生すると判定された場合には、印字カバレッジがしきい値未満となる面を先に印字することにより、画像劣化を防止することができる。
【００７４】
なお、上記の実施の形態では、インクジェット記録装置のコントローラにおいて、印字処理ルーチンを実行する場合を例に説明したが、印字カバレッジを算出する処理（上記ステップ１０４、１０６）や、目立つような画質劣化が発生するか否かの判定処理（上記ステップ１０８、１１０）、画像データの補正処理（上記ステップ１２０、１２２）については、クライアントＰＣのドライバにおいて実行するようにしてもよい。
【００７５】
また、通常の両面印字処理では、記録用紙の表面を先に印字する場合を例に説明したが、これに限定されるものではなく、通常の両面印字処理で、記録用紙の裏面を先に印字するようにしてもよい。この場合には、裏面のみに、しきい値以上の印字カバレッジとなる単位領域が存在すると判定されると、記録用紙の表面、裏面の順に印字処理を行うように、印字処理の順番を変更すれば良い。
【００７６】
また、画像データの補正処理では、インク滴及び処理液の液を吐出するドット数を減らす場合を例に説明したが、これに限定されるものではなく、インク滴及び処理液の液を吐出するドットのドット径を一律に小さくすることにより、インク滴及び処理液の吐出量を減少させるようにしてもよい。
【００７７】
また、印字モードとして高画質モードが設定されている場合に、画質劣化抑制処理として、待ち時間設定処理及び印字速度調整処理の何れか一方を行う場合を例に説明したが、これに限定されるものではなく、両方の処理を組み合わせるようにしてもよい。
【００７８】
また、記録用紙の印字領域を分割した単位領域の各々について、印字カバレッジを算出する場合を例に説明したが、これに限定されるものではなく、両面搬送用ロールの接触領域の一部分を含む単位領域のみについて、印字カバレッジを算出するようにしてもよい。
【００７９】
また、単位領域の印字カバレッジを算出して、印字カバレッジに基づいて、画質劣化発生の有無を判定する場合を例に説明したが、単位領域内のインクに覆われる面積を算出し、この単位領域内のインクに覆われる面積に基づいて、画質劣化発生の有無を判定するようにしてもよい。
【００８０】
次に第２の実施の形態について説明する。なお、第２の実施の形態に係るインクジェット記録装置は、第１の実施の形態と同様の構成であるため、同一符号を付して構成に関する説明を省略する。
【００８１】
第２の実施の形態では、光学濃度に基づいて、目立つような画質劣化が発生するか否かを判定している点が第１の実施の形態と異なる。
【００８２】
第２の実施の形態に係る印字処理ルーチンでは、入力された画像データに基づいて、記録用紙Ｐの印字領域を分割した単位領域であって、かつ、両面搬送用ロール４２、４４、４６の接触領域の一部分を含む単位領域について、光学濃度を算出し、算出された光学濃度と予め定められたしきい値とを比較して、目立つような画質劣化が発生するか否かを判定している。
【００８３】
なお、上記のしきい値については以下のように求めた値を設定しておけばよい。例えば、インク滴サイズを１０ｐｌ、解像度を６００×６００ｄｐｉとした場合、ベタパッチ部分における光学濃度と印字カバレッジとは、図８に示すような関係があるため、上記の第１の実施の形態におけるしきい値である印字カバレッジ７５％に対応する光学濃度を求め、求められた光学濃度（例えば、１．３）をしきい値として設定すればよい。
【００８４】
このように、記録用紙上の反転機構の両面搬送用ロールとの接触領域の少なくとも一部分を含む単位領域について、光学濃度を算出して、光学濃度に基づいて、目立つような画質劣化の発生の有無を判定することにより、反転機構によって記録用紙が反転される際に、記録用紙の接触領域に目立つような画質劣化が生じるか否かを精度よく判定することができ、また、この判定結果に基づいて、適切に画質劣化の発生を抑制することができる。
【００８５】
次に、第３の実施の形態について説明する。なお、第１の実施の形態と同様の部分については、同一符号を付してその説明を省略する。
【００８６】
第３の実施の形態では、入力された画像データに基づいて、両面搬送用ロールの接触領域の印字カバレッジを算出している点が第１の実施の形態と異なる。
【００８７】
なお、インクジェット記録装置の構成は、第１の実施の形態と同様の構成であるため、構成に関する説明を省略する。
【００８８】
次に、第３の実施の形態に係る印字処理ルーチンについて図９を用いて説明する。なお、第１の実施の形態と同様の処理については、同一符号を付して詳細な説明を省略する。
【００８９】
ステップ１００において、入力された印字指示に基づいて、両面印字であるか否かを判定し、片面印字であると、ステップ１０２において、入力された画像データに基づいて、記録用紙Ｐの片面を印字して、印字処理ルーチンを終了するが、一方、両面印字であると、ステップ３０４において、入力された表面用の画像データに基づいて、両面搬送用ロール４２、４４、４６の接触領域における印字カバレッジの分布を算出する。
【００９０】
上記のステップ３０４では、図１０に示すように、記録用紙Ｐの両面搬送用ロール４２、４４、４６の接触領域を、縦横の各々を所定の長さとした単位領域（例えば、縦の長さを４ｍｍ、横の長さを両面搬送用ロール４２、４４、４６の幅としたエリア）で分割し、その単位領域毎の印字カバレッジを、印字カバレッジの分布として算出する。
【００９１】
そして、ステップ３０６では、ステップ３０４と同様に、入力された裏面用の画像データに基づいて、両面搬送用ロール４２、４４、４６の接触領域における印字カバレッジの分布を算出し、ステップ３０８で、表面裏面の両面に、両面搬送用ロール４２、４４、４６の接触領域であって、かつ、予め定められたしきい値以上の印字カバレッジとなる単位領域があるか否かを判定する。
【００９２】
上記ステップ３０８で、両面各々の両面搬送用ロール４２、４４、４６の接触領域には、しきい値以上の印字カバレッジとなる単位領域がない場合には、ステップ３１０で、表面の両面搬送用ロール４２、４４、４６の接触領域に、しきい値以上の印字カバレッジとなる単位領域があるか否かを判定し、表面の両面搬送用ロール４２、４４、４６の接触領域に、しきい値以上の印字カバレッジとなる単位領域がなかった場合には、ステップ１１２において、通常に印字処理を行って、印字処理ルーチンを終了する。一方、上記ステップ３１０で、表面の両面搬送用ロール４２、４４、４６の接触領域に、しきい値以上の印字カバレッジとなる単位領域があると判定された場合には、ステップ１１４において、表面裏面の印字処理の順序を変更し、記録用紙Ｐの裏面、表面の順に印字処理を行って、印字処理ルーチンを終了する。
【００９３】
また、上記ステップ３０８で、両面各々の両面搬送用ロール４２、４４、４６の接触領域に、しきい値以上の印字カバレッジとなる単位領域があると判定された場合には、ステップ１１６において、印字モードとして、高速印字モード及び高画質モードの何れが設定されているかを判定し、高速印字モードが設定されていた場合には、ステップ１１８で、入力された画像データがイメージデータ及びテキストデータの何れであるかを判定し、入力された画像データがイメージデータであると判定されると、ステップ１２０において、イメージデータ領域全体のインク滴及び処理液の打ち込み量を制限するように、入力された画像データを補正する。また、上記ステップ１１８で、入力された画像データがテキストデータであると判定されると、ステップ１２０において、文字輪郭外周のみに処理液を打ち込むように、入力された画像データを補正して、ステップ１３０へ移行する。
【００９４】
また、上記ステップ１１６において、高画質モードが設定されていると判定された場合には、ステップ１２４において、高画質モードにおける画質劣化抑制処理として、待ち時間設定処理及び印字速度調整処理が設定されているか否かを判定し、待ち時間設定処理が設定されていると判定されると、ステップ１２６において、インク乾燥のために必要な待ち時間として、印字カバレッジに応じて算出される待ち時間を設定し、ステップ１３０へ移行するが、一方、上記ステップ１２４で、印字速度調整処理が設定されていると判定されると、ステップ１２８で、印字カバレッジに応じて算出される待ち時間に基づいて、ロール搬送速度及び駆動周波数を調整して、印字速度を調整し、ステップ１３０へ移行する。
【００９５】
そして、ステップ１３０において、入力された画像データ又はステップ１２０、１２２で補正された画像データに基づいて、印字処理を行い、記録用紙Ｐの表面を印字した後に、記録用紙Ｐを反転させ、記録用紙Ｐの裏面を印字して、印字処理ルーチンを終了する。
【００９６】
以上説明したように第３の実施の形態に係るインクジェット記録装置によれば、記録用紙上の反転機構の両面搬送用ロールとの接触領域を分割した単位領域の各々について、印字カバレッジを算出して、この印字カバレッジの分布に基づいて、目立つような画質劣化の発生の有無を判定するため、反転機構によって記録用紙が反転される際に、記録用紙の接触領域に目立つような画質劣化が生じるか否かを精度よく判定することができ、また、この判定結果に基づいて、適切に画質劣化の発生を抑制することができる。
【図面の簡単な説明】
【００９７】
【図１】本発明の第１の実施の形態に係るインクジェット記録装置の構成を示す概略図である。
【図２】記録用紙上における両面搬送用ロールが接触する接触領域を説明するための図である。
【図３】反転機構によって記録用紙が反転される際に、両面搬送用ロールによって再転写される様子を示すイメージ図である。
【図４】本発明の第１の実施の形態に係るインクジェット記録装置の印字処理ルーチンの内容を示すフローチャートである。
【図５】記録用紙の印字領域を分割した単位領域を示すイメージ図である。
【図６】印字カバレッジと再転写された部分の光学濃度との関係を示すグラフである。
【図７】本発明の第１の実施の形態に係るインクジェット記録装置と２つの比較例とについて、印字結果としての印字画質及び印字速度を示す表である。
【図８】ベタパッチ部分の光学濃度と印字カバレッジとの関係を示す表である。
【図９】本発明の第３の実施の形態に係るインクジェット記録装置の印字処理ルーチンの内容を示すフローチャートである。
【図１０】記録用紙の接触領域を分割した単位領域を示すイメージ図である。
【符号の説明】
【００９８】
１０  インクジェット記録装置
１２  インクジェットヘッドユニット
２４  搬送ベルト
４２  両面搬送用ロール
４４  両面搬送用ロール
４６   両面搬送用ロール
４８  反転機構
６２  コントローラ
Ｐ  記録用紙
【図１】
2008183719.tif 000003
【図２】
2008183719.tif 000004
【図３】
2008183719.tif 000005
【図４】
2008183719.tif 000006
【図５】
2008183719.tif 000007
【図６】
2008183719.tif 000008
【図７】
2008183719.tif 000009
【図８】
2008183719.tif 000010
【図９】
2008183719.tif 000011
【図１０】
2008183719.tif 000012